(57)【特許請求の範囲】
【請求項１】
第１及び第２のチューナを備え、前記第１のチューナが番組放送及び該番組放送に多重されたデータを含む多重放送電波を受信しながら、前記多重放送から得られる代替周波数リストに基づいて前記第２のチューナで前記第１のチューナが受信している同一番組放送の代替局周波数の受信状況をチェックし、前記第１のチューナで該受信状況の良好な代替局周波数に追従動作させる制御手段を有する多重放送用受信機であって、
前記制御手段は、
前記代替周波数リストに基づいて前記第２のチューナが現在の代替周波数Ｆｎから次の代替周波数Ｆｎ＋１を受信するとき、（代替周波数Ｆｎ＋１）＋中間周波数の周波数が、前記第１のチューナの受信周波数に対して前記第１のチューナの音声出力にノイズが発生する所定の周波数範囲内にあるか否かを判定する第１の判定手段と、
前記第１の判定手段が所定の周波数範囲内にあると判定されると、前記第２のチューナの代替周波数を代替周波数Ｆｎから次の代替周波数Ｆｎ＋１に変更する途中で、前記第２のチューナに周波数変更のために加えられる同調電圧を複数段階に分けて供給することにより代替周波数Ｆｎから次の代替周波数Ｆｎ＋１の周波数を段階的に変更する周波数変更手段とを備えることを特徴とする多重放送用受信機。
【請求項２】
前記制御手段は、
前記第１の判定手段が所定の周波数範囲内にあると判定された後、前記現在の代替周波数Ｆｎと次の代替周波数Ｆｎ＋１との大小関係を判定する第２の判定手段を更に備えることを特徴とする請求項１記載の多重放送用受信機。
【請求項３】
前記制御手段は、
前記第１のチューナが多重放送を受信している状態で、前記多重放送電波から得られる同一番組放送の代替局周波数リストに基づき前記第２のチューナに同一番組を放送している周波数を順次受信させるとともに、該代替受信周波数の電界強度が前記第１のチューナが受信している周波数の受信電界強度より大きいときに当該代替周波数に前記第１のチューナがチューニングするように追従動作させる同一番組サーチ手段を更に備えることを特徴とする請求項１又は２記載の多重放送用受信機。
【発明の詳細な説明】
【０００１】
【発明の属する技術分野】
本発明は、２つのチューナを備え、一方のチューナが番組放送及び該番組放送に多重されたデータを含む多重放送電波を受信しながら、他方のチューナで一方のチューナが受信している同一番組放送の代替局周波数の受信状況をチェックし、該受信状況の良好な代替局周波数に一方のチューナを追従動作させるようにした多重放送用受信機に関するものである。
【０００２】
【従来の技術】
多重放送には、ＦＭラジオ放送の放送電波に当該番組放送に関連する情報や交通情報などの情報を多重し、受信側が当該多重された情報を受信することにより、当該ラジオ放送の受聴者に対して様々なサービスを提供することができるＲＤＳ（ラジオ・データ・システム）方式がある。
【０００３】
従来、このような多重放送電波を受信するラジオ受信機としては、一つのチューナを用いて、このチューナが番組放送及び該番組放送に多重されたデータを含む多重放送電波を受信している状態で、該多重放送電波から得られる同一番組放送の代替周波数リストを基に、所定時間毎に一瞬づつチューナの受信周波数を切換えることにより、同一番組を放送する代替周波数を順次受信して、その受信レベルをチェックし、該受信レベルの良好な同一番組の代替局周波数にチューナを追従動作させるようにしている。
【０００４】
しかしながら、このような一つのチューナを用いたラジオ受信機によれば、前記代替周波数リストに基づいて同一番組の代替局周波数に追従動作を行う場合、所定時間毎に一瞬づつ受信周波数を切換え、この切換毎に音声ミュートをかけるようにしたので、ユーザーとしては、このような追従動作に伴うミュートによる音とぎれが耳障りになるといった事態が発生している。
【０００５】
そこで、このような事態に対処すべく、二つのチューナ機能を備えたラジオ受信機が提案されつつある。
【０００６】
従来、このような多重放送電波を受信するラジオ受信機は、２つのチューナを有し、一方のチューナが番組放送及び該番組放送に多重されたデータを含む多重放送電波を受信している状態で、該多重放送電波から得られる同一番組放送の代替周波数リストを基に、他方のチューナにより同一番組を放送する代替周波数を順次受信して、その受信レベルをチェックし、該受信レベルの良好な同一番組の代替局周波数に一方のチューナを追従動作させるようにしている。
【０００７】
このような２チューナ機能を備えたラジオ受信機によれば、前述したような１チューナ方式のラジオ受信機のような、追従動作に伴うミュートによる音とぎれが発生しないので、ユーザーに不快感を与えるようなことはない。
【０００８】
【発明が解決しようとする課題】
ところで、このような同一筐体内に２つのチューナを有する多重放送用ラジオ受信機では、それぞれのチューナが、ＰＬＬ回路により局部発振周波数＝受信周波数＋中間周波数（１０．７ＭＨｚ）の関係で受信動作すると、ＡＦサーチを行う他方のチューナが代替周波数の受信状況をチェックする際に発生する同調電圧（受信レベル）のダンピングにより、一方のチューナの受信周波数＝他方のチューナの受信周波数＋中間周波数の関係が成り立つ周波数と、その前後の±２００ＫＨｚの周波数とで一方のチューナの音声出力にビートノイズが発生する不具合がある。
【０００９】
すなわち、従来の２チューナ式のＲＤＳ受信機では、ＡＦサーチを行う他方のチューナで代替周波数の受信状況の確認を行う際に、ダイレクトに次の代替周波数を受信するようにしているため、図５に示すように、ＰＬＬ回路により代替周波数ＡＦ１から次の代替周波数ＡＦ２（ＡＦ１＜ＡＦ２）へ変化させて代替周波数ＡＦ２にロックする時、その周波数の遷移初期時に同調電圧（ＶＴ）にダンピング５１が発生し、このダンピング５１が番組放送を受信する一方のチューナで受信している放送局の音声出力にノイズが発生する他方のチューナの周波数範囲５２がかかってしまい、その結果、一方のチューナの音声出力にダンピングによる耳ざわりなノイズが発生してしまう。
【００１０】
図６は、ＰＬＬ回路により代替周波数ＡＦ１から次の代替周波数ＡＦ２（ＡＦ１＞ＡＦ２）へ変化させて代替周波数ＡＦ２にロックする時の同調電圧（ＶＴ）とロック時間の関係を示す図であり、この図６から明らかなように、代替周波数ＡＦ１から代替周波数ＡＦ２への遷移初期時に同調電圧（ＶＴ）にダンピング６１が発生し、このダンピング６１が番組放送を受信する一方のチューナで受信している放送局の音声出力にノイズが発生する他方のチューナの周波数範囲６２がかかってしまい、その結果、一方のチューナの音声出力にダンピングによる耳ざわりなノイズが発生してしまう。
【００１１】
本発明は、上記のような課題を解決するものであり、一方のチューナで番組放送を受信している時にその放送局の音声出力に耳ざわりなノイズを発生することなく、他方のチューナにより代替周波数の受信状態をチェックすることができる多重放送用受信機を提供することを目的とする。
【００１２】
【課題を解決するための手段】
上記目的を達成するために請求項１に記載の発明は、第１及び第２のチューナを備え、前記第１のチューナが番組放送及び該番組放送に多重されたデータを含む多重放送電波を受信しながら、前記多重放送から得られる代替周波数リストに基づいて前記第２のチューナで前記第１のチューナが受信している同一番組放送の代替局周波数の受信状況をチェックし、前記第１のチューナで該受信状況の良好な代替局周波数に追従動作させる制御手段を有する多重放送用受信機であって、前記制御手段は、前記代替周波数リストに基づいて前記第２のチューナが現在の代替周波数Ｆｎから次の代替周波数Ｆｎ＋１を受信するとき、（代替周波数Ｆｎ＋１）＋中間周波数の周波数が、前記第１のチューナの受信周波数に対して前記第１のチューナの音声出力にノイズが発生する所定の周波数範囲内にあるか否かを判定する第１の判定手段と、前記第１の判定手段が所定の周波数範囲内にあると判定されると、前記第２のチューナの代替周波数を代替周波数Ｆｎから次の代替周波数Ｆｎ＋１に変更する途中で、前記第２のチューナに周波数変更のために加えられる同調電圧を複数段階に分けて供給することにより代替周波数Ｆｎから次の代替周波数Ｆｎ＋１の周波数を段階的に変更する周波数変更手段とを備えることを特徴とする。
【００１３】
本発明における請求項１記載の発明によれば、第１の判定手段にて、（代替周波数Ｆｎ＋１）＋中間周波数の周波数が第１のチューナの受信周波数に対して前記第１のチューナの音声出力にノイズが発生する所定の周波数範囲内にあると判定すると、周波数変更手段が第２のチューナの代替周波数を代替周波数Ｆｎから次の代替周波数Ｆｎ＋１に変更する途中で、第２のチューナに周波数変更のために加えられる同調電圧を複数段階に分けて供給することにより代替周波数Ｆｎから次の代替周波数Ｆｎ＋１の周波数を段階的に変化させながら第２のチューナの周波数を代替周波数Ｆｎから次の代替周波数Ｆｎ＋１に変更するようにしたので、第１のチューナで番組放送を受信している時に、その放送局の音声出力にノイズが発生する周波数範囲にかからないようにして耳ざわりなノイズの発生をなくすことができ、第２のチューナにより代替周波数の受信状態をチェックすることができる。
【００１４】
本発明における請求項２記載の発明は、上記請求項１記載の発明の構成に加えて、前記制御手段が、前記第１の判定手段が所定の周波数範囲内にあると判定された後、前記現在の代替周波数Ｆｎと次の代替周波数Ｆｎ＋１との大小関係を判定する第２の判定手段を更に備えることを特徴とする。
【００１５】
本発明における請求項２記載の発明によれば、上記請求項１記載の発明の効果に加えて、代替周波数Ｆｎと次の代替周波数Ｆｎ＋１との大小関係を判定することにより、代替周波数Ｆｎが次の代替周波数Ｆｎ＋１より小さい場合の代替周波数Ｆｎから次の代替周波数Ｆｎ＋１への変更時に、同調電圧のダンピングが第１のチューナで受信している放送局の音声出力にノイズが発生する周波数範囲にかからないようにして耳ざわりなノイズの発生をなくすことができる。
【００１６】
本発明における請求項３記載の発明は、上記請求項１又は２記載の発明の構成に加えて、前記制御手段が、前記第１のチューナが多重放送を受信している状態で、前記多重放送電波から得られる同一番組放送の代替局周波数リストに基づき前記第２のチューナに同一番組を放送している周波数を順次受信させるとともに、該代替受信周波数の電界強度が前記第１のチューナが受信している周波数の受信電界強度より大きいときに、当該代替周波数に前記第１のチューナがチューニングするように追従動作させる同一番組サーチ手段を更に備えることを特徴とする。
【００１７】
本発明における請求項３記載の発明によれば、代替局周波数リストに基づき第２のチューナに同一番組を放送している周波数を順次受信し、該代替受信周波数の電界強度が第１のチューナが受信している周波数の受信電界強度より大きいときに、当該代替周波数に第１のチューナがチューニングするように追従動作させることができる。
【００１８】
【発明の実施の形態】
以下、図面に基づいて本発明の多重放送用受信機について説明する。図１は本発明の多重放送用受信機を適用したＲＤＳ受信機の概略構成を示すブロック図である。
【００１９】
図１において、ＲＤＳ受信機は、複数の放送局から放送される、番組放送及び該番組放送に多重されたＲＤＳデータを含むＦＭ多重放送電波を受けるアンテナ１１及びアンテナ分配器１２を通して受信する第１のチューナ１３及び第２のチューナ１４を備える。
【００２０】
第１のチューナ１３は、アンテナ１１及びアンテナ分配器１２を通して受信したＦＭ多重放送から希望の局を選択し、該局の受信周波数を中間周波数に変換して増幅すると共に、第１のチューナ１３で受信すべき所望の放送電波を検波するための局部発振周波数ＯＳＣ１を発振するフロントエンド１３１と、このフロントエンド１３１にて出力された局部発振周波数ＯＳＣ１を得ると共に、誤差信号Ｅ０１を出力するＰＬＬ回路１３２と、このＰＬＬ回路１３２から出力される誤差信号Ｅ０１から低周波成分のみを抽出して同調電圧ＶＴ１をフロントエンド１３１に出力する低域フィルタ（ＬＰＦ）１３３と、フロントエンド１３１で増幅された中間周波数信号をＦＭ検波するＦＭ検波器１３４と、このＦＭ検波器１３４の検波出力信号をオーディオ信号に復調し、ステレオ放送の場合はＬ（左）、Ｒ（右）チャネルのオーディオ信号に分離するマルチプレクサ１３５と、ＦＭ検波器１３５の検波出力信号から受信中の受信信号の電界強度を検出するＳメータ（電界強度検出回路）１３６と、現在受信中の受信信号に関わるノイズ成分を検出するノイズ検出器１３７とを備える。
【００２１】
また、マルチプレクサ１３３の出力端には、ボリューム等を内蔵するオーディオアンプ１５を介してスピーカ１６が接続されている。
【００２２】
第２のチューナ１４は、アンテナ１１及びアンテナ分配器１２を通して受信したＦＭ多重放送から代替周波数リスト（ＡＦリスト）を基に代替周波数を順次受信し、該受信周波数を中間周波数に変換して増幅すると共に、第２のチューナ１４で受信すべき所望の放送電波を検波するための局部発振周波数ＯＳＣ２を発振するフロントエンド１４１と、このフロントエンド１４１からの局部発振周波数ＯＳＣ２を得ると共に、誤差信号Ｅ０２を出力するＰＬＬ回路１４２と、このＰＬＬ回路１４２から出力される誤差信号Ｅ０２から低周波成分のみを抽出して同調電圧ＶＴ２をフロントエンド１４１に出力する低域フィルタ（ＬＰＦ）１４３と、フロントエンド１４１で増幅された中間周波数信号をＦＭ検波するＦＭ検波器１４４と、このＦＭ検波器１４４の検波出力信号から受信中の受信信号の電界強度を検出するＳメータ（電界強度検出回路）１４５と、現在受信中の受信信号に関わるノイズ成分を検出するノイズ検出器１４６とを備える。
【００２３】
前記Ｓメータ（電界強度検出回路）１３６及び１４５で検出されたそれぞれの電界強度データは切換スイッチ１７を介してＲＤＳ受信機全体を制御するマイクロコンピュータからなる制御装置１８に送出される。
【００２４】
また、ノイズ検出器１３７及び１４６で検出されたノイズデータは切換スイッチ１９を介して制御装置１８に送出される。さらに、ＦＭ検波器１３４及び１４４の検波出力信号から抽出されたラジオデータ信号であるＲＤＳデータは切換スイッチ２０を介してＲＤＳデコーダ２１に送出され、このＲＤＳデコーダ２１で復調されたＲＤＳデータは制御装置１８に送出される。
【００２５】
上記切換スイッチ１７、１９及び２０はそれぞれ制御装置１８から出力される制御信号により第１のチューナ１３側及び第２のチューナ１４側へ同時に切り換えられる構成になっている。
【００２６】
ＲＤＳデータには、同一番組を放送する放送局の周波数を表す代替局周波数（ＡＦ）リストや番組識別（ＰＩ）コードや番組の内容を示す番組型式（ＰＴＹ）コードなどのデータが含まれており、このＲＤＳデータから得られる代替局周波数リストや番組識別コード等は制御装置１８に接続したメモリ２２に格納される構成になっている。
【００２７】
上記制御装置１８は、第１のチューナ１３が多重放送を受信している状態で、上記メモリ２２に格納された、第１のチューナ１３が受信している同一番組の放送局のＡＦリストに基づいて、制御装置１８からＰＬＬ回路１４２に選択指令を出力することにより第２のチューナ１４に同一番組を放送している代替周波数を順次受信し、該受信周波数の受信状態が第１のチューナ１３が受信している周波数の受信状態より良好かを両者のＳメータ１３６、１４５で検出した電界強度から判定し、良好と判定された代替周波数に第１のチューナ１３をチューニングするようにＰＬＬ回路１３２を制御装置１８からの選択指令により追従動作させる同一番組サーチ手段１８１と、ＡＦリストに基づいて第２のチューナ１４が現在の代替周波数Ｆｎから次の代替周波数Ｆｎ＋１を受信する時、（代替周波数Ｆｎ＋１）＋中間周波数（１０．５ＭＨｚ）が第１のチューナの受信周波数Ｆ0 に対して、第１のチューナ１３の音声出力にノイズが発生する所定の周波数範囲内（Ｆ0 ±２００ＫＨｚ）であるか否かを判定する第１の判定手段１８３と、この第１の判定手段１８３が所定の周波数範囲内にあると判定した後に上記現在の代替周波数Ｆｎと次の代替周波数Ｆｎ＋１との大小関係を判定する第２の判定手段１８４と、第１の判定手段１８３が所定の周波数範囲内にあると判定された時に、第２のチューナ１４の代替周波数を代替周波数Ｆｎから次の代替周波数Ｆｎ＋１に変更する途中で、ＰＬＬ回路１３２から低域フィルタ１３３を通してフロントエンド１３１に加えられる同調電圧ＶＴ１を複数段階に分けて供給することにより代替周波数Ｆｎから次の代替周波数Ｆｎ＋１の周波数を段階的に変更する周波数変更手段１８５とを備える。
【００２８】
次に、図２に示すフローチャート、図３および図４に示す説明図を参照して制御装置１８が行うノイズ発生を抑制する処理動作について説明する。
【００２９】
図２に示す処理プログラムがスタートすると、まず、第１及び第２のチューナ１３、１４が受信中か否かを判定する（ステップＳ１）。ここで、両チューナ１３、１４が受信中でない場合は制御装置１８の処理は終了し、受信動作中である場合は、切換スイッチ１７、１９及び２０はそれぞれ第１のチューナ１３側に切り換え、ＲＤＳデコーダ２１により、第１のチューナ１３が受信している放送局と同一の番組を放送するＡＦリストをＰＩコードを基にＲＤＳデータから抽出し、このＡＦリストを制御装置１８を通してメモリ２２の所定の領域に格納することにより、ＡＦリストを作成する（ステップＳ２）。
【００３０】
次に、第２のチューナ１４では、制御装置１８からＰＬＬ回路１４１に選択指令を出力することにより同一番組サーチ手段１８１を動作させてＡＦリストから、現在の代替周波数Ｆｎから次の代替周波数Ｆｎ＋１をピックアップして、次の代替周波数Ｆｎ＋１に変更する（ステップＳ３）。そして、第１の判定手段１８３により、第２のチューナ１４が現在の代替周波数Ｆｎから次の代替周波数Ｆｎ＋１を受信するとき、（代替周波数Ｆｎ＋１）＋中間周波数（１０．５ＭＨｚ）が第１のチューナ１３の受信周波数Ｆ0 に対して、第１のチューナ１３の音声出力にノイズが発生する所定の周波数範囲（Ｆ0 ±２００ＫＨｚ）内であるか否かを判定する（ステップＳ４）。
【００３１】
ここで、所定の周波数範囲外と判定された場合は、代替周波数Ｆｎ＋１を受信するように第１のチューナ１３を同一番組サーチ手段１８１により追従動作させる（ステップＳ６）。
【００３２】
また、ステップＳ４にて所定の周波数範囲内にあると判定された場合は、第２の判定手段１８４により現在の代替周波数Ｆｎと次の代替周波数Ｆｎ＋１との大小関係を判定する（ステップＳ７）。
【００３３】
ここで、Ｆｎ＞Ｆｎ＋１でないと判定された場合は１０８．０ＭＨｚを受信し（ステップＳ８）、ステップＳ６に移行して代替周波数Ｆｎから次の代替周波数Ｆｎ＋１に変更する。
【００３４】
図３は、このＦｎ＜Ｆｎ＋１の時の同調電圧とロック時間との関係を表す説明図であり、同調電圧ＶＴのダンピング３１、３２が第１のチューナ１３で受信している放送局の音声出力にノイズが発生する第２のチューナ１４の周波数範囲３３にかからず、よって、第１のチューナ１３の受信周波数を代替周波数Ｆｎから次の代替周波数Ｆｎ＋１に変更する時の同調電圧ＶＴのダンピング３１、３２によるノイズの発生をなくし得る。
【００３５】
また、ステップＳ７にて第２の判定手段１８３がＦｎ＞Ｆｎ＋１であると判定された場合は、周波数変更手段１８５により、第２のチューナ１４の代替周波数を代替周波数Ｆｎから次の代替周波数Ｆｎ＋１に変更する途中で、ＰＬＬ回路１４２から低域フィルタ１４３を通してフロントエンド１４１に加えられる同調電圧ＶＴ２を複数段階に分けて供給することにより代替周波数Ｆｎから次の代替周波数Ｆｎ＋１への周波数を段階的に変更する。
【００３６】
すなわち、周波数変更手段１８５により第２のチューナ１４の受信周波数を代替周波数Ｆｎから次の代替周波数Ｆｎ＋１に変更する場合は、図４に示すように、まず、（Ｆｎ＋１）＋Ａ（３ＭＨｚ）となるようにＰＬＬ回路１４２から低域フィルタ１４３を通してフロントエンド１４１に加えられる同調電圧ＶＴ２を制御して、（Ｆｎ＋１）＋Ａ（３ＭＨｚ）の周波数に第２のチューナ１４を追従動作させる（ステップＳ９）。次いで、（Ｆｎ＋１）＋Ａ（３ＭＨｚ）の周波数に変更された状態から、（Ｆｎ＋１）＋Ｂ（１ＭＨｚ）となるようにＰＬＬ回路１４２から低域フィルタ１４３を通してフロントエンド１４１に加えられる同調電圧ＶＴ２を制御して、（Ｆｎ＋１）＋Ｂ（１ＭＨｚ）の周波数に第２のチューナ１４を追従動作させ（ステップＳ１０）、その後、ステップＳ６に移行して代替周波数Ｆｎから次の代替周波数Ｆｎ＋１に変更する。
【００３７】
従って、図４から明らかなように、同調電圧ＶＴのダンピング４１、４２、４３が第１のチューナ１３で受信している放送局の音声出力にノイズが発生する第２のチューナ１４の周波数範囲４４にかからず、第１のチューナ１３の受信周波数を代替周波数Ｆｎから次の代替周波数Ｆｎ＋１に変更する時の同調電圧ＶＴのダンピング４１、４２、４３によるノイズの発生をなくし得る。
【００３８】
なお、上記の実施の形態では、代替周波数Ｆｎから次の代替周波数Ｆｎ＋１への周波数を２段階または３段階に変更する場合について説明したが、本発明はこれに限定されず、上記実施の形態以上に分割することも可能である。
【００３９】
【発明の効果】
以上のように本発明によれば、第１の判定手段にて、（代替周波数Ｆｎ＋１）＋中間周波数の周波数が第１のチューナの受信周波数に対して前記第１のチューナの音声出力にノイズが発生する所定の周波数範囲内にあると判定すると、周波数変更手段が第２のチューナの代替周波数を代替周波数Ｆｎから次の代替周波数Ｆｎ＋１に変更する途中で、第２のチューナに周波数変更のために加えられる同調電圧を複数段階に分けて供給することにより代替周波数Ｆｎから次の代替周波数Ｆｎ＋１の周波数を段階的に変化させながら第２のチューナの周波数を代替周波数Ｆｎから次の代替周波数Ｆｎ＋１に変更するようにしたので、第１のチューナで番組放送を受信している時に、その放送局の音声出力にノイズが発生する周波数範囲にかからないようにして耳ざわりなノイズの発生をなくすことができ、第２のチューナにより代替周波数の受信状態をチェックすることができる。
【００４０】
本発明によれば、代替周波数Ｆｎと次の代替周波数Ｆｎ＋１との大小関係を判定することにより、代替周波数Ｆｎが次の代替周波数Ｆｎ＋１より小さい場合の代替周波数Ｆｎから次の代替周波数Ｆｎ＋１への変更時に、同調電圧のダンピングが第１のチューナで受信している放送局の音声出力にノイズが発生する周波数範囲にかからないようにして耳ざわりなノイズの発生をなくすことができる。
【００４１】
また、本発明によれば、代替局周波数リストに基づき第２のチューナに同一番組を放送している周波数を順次受信し、該代替受信周波数の電界強度が第１のチューナが受信している周波数の受信電界強度より大きいときに、当該代替周波数に第１のチューナがチューニングするように追従動作させることができる。
【図面の簡単な説明】
【図１】本発明の多重放送用受信機を適用したＲＤＳ受信機の概略構成を示すブロック図である。
【図２】本発明の実施の形態におけるＲＤＳ受信機の動作手順を示すフローチャートである。
【図３】本発明の実施の形態における同調電圧の段階的制御によるノイズ抑制のための動作説明図である。
【図４】本発明の実施の形態における同調電圧の段階的制御によるノイズ抑制のための動作説明図である。
【図５】従来における同調電圧の段階的制御によるノイズ抑制のための動作説明図である。
【図６】従来における同調電圧の段階的制御によるノイズ抑制のための動作説明図である。
【符号の説明】
１１  アンテナ
１２  アンテナ分配器
１３  第１のチューナ
１４  第２のチューナ
１８  制御装置
１８１  同一番組サーチ手段
１８３  第１の判定手段
１８４  第２の判定手段
１８５  周波数変更手段
【図１】
0003883280.tif 000002
【図２】
0003883280.tif 000003
【図３】
0003883280.tif 000004
【図４】
0003883280.tif 000005
【図５】
0003883280.tif 000006
【図６】
0003883280.tif 000007